(57)【特許請求の範囲】
【請求項１】
入院病棟でベッドに臥せている患者の起きあがりを検出して、その検出信号をナースステーションなどに設置されている監視手段に送信する入院患者の体動検出装置において、
上記ベッドもしくはその近傍の壁面などの被取付部に配置される筐体と、一端に上記患者の所定部位に係止される係止具を有し、他端にスイッチ作動部を備えた連結紐と、上記入院病棟に設置されている上記監視手段の端末コンセントに接続可能なケーブルとを備え、上記筐体には、上記スイッチ作動部が抜き差し可能な開口部と、上記スイッチ作動部の抜き差しに応じてオンオフするスイッチを含む体動検出回路とが設けられており、上記体動検出回路が上記ケーブルを介して上記端末コンセントに接続されることを特徴とする入院患者の体動検出装置。
【請求項２】
上記ケーブルには、手動にてオンオフされるナースコールスイッチを上記体動検出回路に対して並列的に接続可能とするコネクタが設けられていることを特徴とする請求項１に記載の入院患者の体動検出装置。
【発明の詳細な説明】
【０００１】
【発明の属する技術分野】
本発明は、病院施設で使用される入院患者の体動検出装置に関し、さらに詳しく言えば、ベッドに臥せている患者が起きあがった場合、その体の動き（体動）を検出してナースステーションなどに設置されている監視手段に送信する入院患者の体動検出装置に関するものである。
【０００２】
【従来の技術】
ほとんどの場合、入院病棟の各ベットにはナースコールと呼ばれる押しボタンスイッチが設けられており、必要に応じてナースステーションに連絡できるようになっているが、これはあくまで患者の意志によって使用される。
【０００３】
例えば、歩行に手助けを必要とする患者の中には、遠慮して看護婦を呼ぶことなく、一人で起きあがりベッドから降りる際に転倒してしまうなどの事故例が後を絶たない。また、痴呆性の患者に至っては、勝手にベッドから離れて徘徊してしまうため、その看護には大変なものがある。
【０００４】
そこで、一部の病院では、マットレスや床下に重量を検知するマットセンサを敷き込み、そのセンサからの信号により、ナースステーションに居ながらにして、患者がベッドから起きあがったことを知ることができるようにしている。
【０００５】
【発明が解決しようとする課題】
しかしながら、マットセンサは敷く手間がかかるため、看護婦に余分な負担をかけることになる。また、通気性が悪いため衛生面でも好ましくないし、ベッド清掃時にも邪魔な存在となる。そればかりでなく、患者の体重が繰り返しかけられるため消耗が激しいなどの課題があった。
【０００６】
【課題を解決するための手段】
このような課題は、本発明の特徴的な構成によって解決される。すなわち、本発明は、入院病棟でベッドに臥せている患者の起きあがりを検出して、その検出信号をナースステーションなどに設置されている監視手段に送信する入院患者の体動検出装置において、上記ベッドもしくはその近傍の壁面などの被取付部に配置される筐体と、一端に上記患者の所定部位に係止される係止具を有し、他端にスイッチ作動部を備えた連結紐と、上記入院病棟に設置されている上記監視手段の端末コンセントに接続可能なケーブルとを備え、上記筐体には、上記スイッチ作動部が抜き差し可能な開口部と、上記スイッチ作動部の抜き差しに応じてオンオフするスイッチを含む体動検出回路とが設けられており、上記体動検出回路が上記ケーブルを介して上記端末コンセントに接続されることを特徴としている。
【０００７】
筐体は、好ましくはベッドのヘッドボード当たりに設置される。連結紐の長さは、寝ているときの患者と筐体との間に弛みができるような長さに選定される。連結紐の一端側の係止具を患者の例えば襟元に取り付け、他端側のスイッチ作動部を筐体の開口部に差し込み、体動検出回路のスイッチをオフとする。
【０００８】
患者が起きあがると、連結紐によりスイッチ作動部が引っ張られて筐体から抜け、体動検出回路のスイッチがオンとなり、その信号がケーブルおよび端末コンセントを介してナースステーションなどに設置されている監視手段に送信される。これにより、看護婦はナースステーションに居ながらにして、患者がベッドから起きあがったことを知ることができる。
【０００９】
本発明の好ましい態様によれば、上記ケーブルには、手動にてオンオフされるナースコールスイッチを上記体動検出回路に対して並列的に接続可能とするコネクタが設けられ、ナースコールスイッチを併用することができる。
【００１０】
【発明の実施の形態】
次に、本発明の実施形態について説明する。まず、図１の各部材を分離して示す斜視図を参照して、この体動検出装置は、内部に後述する体動検出回路が組み込まれている筐体１０と、この筐体１０に図示しない患者を連結する連結紐２０と、筐体１０の体動検出回路をナースステーションなどに設置されている図示しない監視手段に接続するためのケーブル３０とを備えている。
【００１１】
連結紐２０は、その一端に患者の衣服に係止される係止具２１を有し、他端側にはスイッチ作動部としての板材からなるスイッチ作動片２２が取り付けられている。また、連結紐２０は長さ調節部材２３を備えている。長さ調節部材２３は公知のものであってよい。
【００１２】
係止具２１としては、例えば名札などを胸ポケットに吊り下げる際によく用いられているワンタッチクリップが好適である。スイッチ作動部は、必ずしも板材である必要はなく、棒状体などであってもよい。
【００１３】
筐体１０には、スイッチ作動片２２を抜き差し自在に受け入れる開口部１１が形成されている。また、この実施形態において、筐体１０には、図示しないベッドのヘッドボードなどに引っかけるためのフック１２が設けられている。なお、フック１２に代えて、筐体１０を壁面にネジ止めするようにしてもよい。
【００１４】
ケーブル３０は、その両端に接続プラグ３１，３２を備えている。一方の接続プラグ３１は、入院病棟に設置されている上記監視手段の端末コンセント４０に接続され、他方の接続プラグ３２は筐体１０の体動検出回路と接続される。また、ケーブル３０は、手動にてオンオフされるナースコールスイッチ５０を接続するためのコネクタ３３を備えている。
【００１５】
図２を参照して、筐体１０内には、その開口部１１に隣接するように配置されていて、スイッチ作動片２２の抜き差しによってオンオフされるマイクロスイッチ１６を含む体動検出回路１３が収納されている。
【００１６】
体動検出回路１３は、その出力端子としてのレセプタクル１４を備えており、このレセプタクル１４にケーブル３０の接続プラグ３２が接続される。また、この実施形態において、体動検出回路１３には、トグルスイッチからなるメインスイッチ１５が設けられている。
【００１７】
図３により、ケーブル３０についてより詳しく説明すると、この実施形態において、上記監視手段の端末コンセント４０に接続される一方の接続プラグ３１は３ピンプラグで、体動検出回路１３のレセプタクル１４と接続される他方の接続プラグ３２は２ピンプラグである。
【００１８】
一方の接続プラグ３１および他方の接続プラグ３２の１番ピン＃１と２番ピン＃２とが体動検出用であり、接続プラグ３１の３番ピン＃３はナースコールスイッチ５０の接続確認用である。
【００１９】
コネクタ３３は、ナースコールスイッチ５０を上記１番ピン＃１と２番ピン＃２に接続する接続端子３３ａ，３３ｂと、接続プラグ３１の３番ピン＃３と接続される接続端子３３ｃとを備え、コネクタ３３内において、接続端子３３ｂと３３ｃは接続されている。なお、図１には、ナースコールスイッチ用接続端子３３ａ，３３ｂのみが示されており、マイクロホン用接続端子３３ｃは示されていない。
【００２０】
ナースコールスイッチ５０をコネクタ３３の接続端子３３ａ，３３ｂに接続すると、上記１番ピン＃１と２番ピン＃２から見て、ナースコールスイッチ５０は体動検出回路１３に対して並列となる。
【００２１】
また、接続プラグ３１を上記監視手段の端末コンセント４０に接続すると、その２番ピン＃２と３番ピン＃３間が導通するため、これにより上記監視手段側で端末コンセント４０にケーブル３０が接続されたと判断される。
【００２２】
すなわち、上記監視手段は、２番ピン＃２と３番ピン＃３間が導通状態のときには、端末コンセント４０にケーブル３０が接続されていると判断し、２番ピン＃２と３番ピン＃３間が非導通のときには端末コンセント４０からケーブル３０が外されていると判断する。
【００２３】
一例として、この体動検出装置は、次のようにして使用される。まず、筐体１０をフック１２にてベッドのヘットボードに設置する。そして、メインスイッチ１５をオフとして、ケーブル３０の一方の接続プラグ３１を上記監視手段の端末コンセント４０に接続するとともに、他方の接続プラグ３２を体動検出回路１３のレセプタクル１４に接続する。また、必要に応じてナースコールスイッチ５０をコネクタ３３の接続端子３３ａ，３３ｂに接続する。
【００２４】
次に、ベッドの上に患者を寝かせて連結紐２０の係止具２１を患者の例えば襟元に取り付け、連結紐２０にある程度の弛みが生ずるようにその長さを調節してスイッチ作動片２２を筐体１０の開口部１１内に差し込む。これにより、マイクロスイッチ１６がオフ状態となる。
【００２５】
そして、メインスイッチ１５をオンにして患者の監視状態に入る。患者が起きあがると、連結紐２０によりスイッチ作動片２２が引っ張られて筐体１０の開口部１１から抜ける。これにより、体動検出回路１３のマイクロスイッチ１６がオンとなり、その信号がケーブル３０および端末コンセント４０を介してナースステーションなどに設置されている監視手段に送信される。
【００２６】
このようにして、本発明によれば、看護婦（看護士、介助者）はナースステーションに居ながらにして、患者がベッドから起きあがったことを知ることができる。なお、ナースコールスイッチ５０と体動検出回路１３のマイクロスイッチ１６は並列であるため、従来と同様に、ナースコールスイッチ５０も使用することができる。
【００２７】
なお、上記実施形態では、体動検出回路のスイッチとしてマイクロスイッチ１６を使用しているが、本発明はこれに限定されるものではない。例えば、フォトカプラやリードスイッチなども使用可能である。また、メインスイッチ１５およびマイク入力手段は任意的構成要素である。
【００２８】
【発明の効果】
以上説明したように、本発明によれば、従来の重量検知式のマットセンサに比べてきわめて小型であり、床下に敷き込む必要がないため清掃の邪魔にならないとともに、衛生面や感染面でも問題となることはない。
【００２９】
また、構成が至って簡素であるため、コストを大幅に引き下げることが可能であり、しかも既存のナースコール回路を利用するものであるため、導入にあたって特別な工事を必要としないなどの効果が奏される。
【図面の簡単な説明】
【図１】本発明の実施形態に係る体動検出装置の各構成部材を分離して示した斜視図。
【図２】上記体動検出装置の筐体内に組み込まれる体動検出回路を示した回路構成図。
【図３】上記体動検出装置に用いられるケーブルを示した配線図。
【符号の説明】
１０  筐体
１１  開口部
１２  フック
１３  体動検出回路
１４  レセプタクル
１５  メインスイッチ
１６  マイクロスイッチ
２０  連結紐
２１  係止具
２２  スイッチ作動片
３０  ケーブル
３１，３２  接続プラグ
３３  コネクタ
３３ａ〜３３ｃ  接続端子
４０  端末コンセント
５０  ナースコールスイッチ
【図１】
0003629199.tif 000002
【図２】
0003629199.tif 000003
【図３】
0003629199.tif 000004